(57)【特許請求の範囲】
【請求項１】
検体上の複数の場所から放射された光の三刺激値の二次元の空間分解測定のための方法であって、前記方法は、
ＲＧＢ色値の二次元マップを作成するＲＧＢカメラに、前記光の第１の部分を配向するステップと、
三刺激値のマップを作成するために、前記ＲＧＢ色値を第１の三刺激値に変換するステップと、
第２の三刺激値を生成する測色計に、前記光の第２の部分を配向するステップと、
前記第２の三刺激値を少なくとも、前記第１の三刺激値のサブセットと比較することによって三刺激値補正を導出するステップと、
三刺激値の補正されたマップを作成するために、前記三刺激値補正を前記第１の三刺激値に適用するステップと、
を含み、
前記第２の三刺激値からの補正された三刺激値の偏差が最小化されるように前記三刺激値サブセットの前記第１の三刺激値を前記補正された三刺激値に変換する３×３補正対角行列を見つけ出すことによって、前記三刺激値補正を導出する、
ことを特徴とする方法。
【請求項２】
前記光の第２の部分は、前記検体上のスポット内の複数の場所から放射されたものであり、前記測色計は、空間分解を伴わずに、前記第２の三刺激値を生成する、
請求項１記載の方法。
【請求項３】
前記スポット内の複数の場所は、少なくとも部分的に、前記光の第１の部分を放射する、前記検体上の複数の場所と重なっている、
請求項２記載の方法。
【請求項４】
前記測色計は、少なくとも３つの色フィルターのセットと１つまたは複数の光センサとを含んでいる光電測色計である、
請求項１から３までのいずれか１項記載の方法。
【請求項５】
前記測色計は、分光光度計である、
請求項１から３までのいずれか１項記載の方法。
【請求項６】
前記ＲＧＢ色値を前記第１の三刺激値へ変換するための変換を、事前のトレーニングステップにおいて導出し、前記トレーニングステップにおいて、
ＲＧＢ色値と第２の三刺激値とを、３つまたは３つよりも多くのトレーニング用検体のセットから生成し、
前記第２の三刺激値からの前記第１の三刺激値の偏差が最小化されるように前記ＲＧＢ色値を前記第１の三刺激値に変換する３×３変換行列を見つけ出す、
請求項１から５までのいずれか１項記載の方法。
【請求項７】
前記検体は、マトリクス型ディスプレイである、
請求項１から６までのいずれか１項記載の方法。
【請求項８】
前記検体の測光パラメータの一時的な変化の測定をさらに含む、
請求項１から７までのいずれか１項記載の方法。
【請求項９】
検体上の複数の場所から放射された光の三刺激値の２次元の空間分解測定を可能にするイメーシング測色システムであって、前記システムは、
前記検体から放射された前記光を第１の部分と第２の部分とに分光するビームスプリッターと、
前記光の第１の部分を受光し、ＲＧＢ色値の二次元マップを作成するＲＧＢカメラと、
三刺激値のマップを作成するために、前記ＲＧＢ色値を第１の三刺激値に変換するコントローラと、
前記光の第２の部分を受光し、第２の三刺激値を生成する測色計と、
を有しており、
前記コントローラはさらに、
前記第２の三刺激値を少なくとも、前記第１の三刺激値のサブセットと比較することによって、三刺激値補正を導出し、
三刺激値の補正されたマップを作成するために、前記三刺激値補正を前記第１の三刺激値に適用する、
ように構成され、
前記コントローラは、前記第２の三刺激値からの補正された三刺激値の偏差が最小化されるように前記三刺激値サブセットの前記第１の三刺激値を前記補正された三刺激値に変換する３×３補正対角行列を見つけ出すことによって、前記三刺激値補正を導出する、
ことを特徴とするイメーシング測色システム。
【請求項１０】
前記測色計は、少なくとも３つの色フィルターのセットと１つまたは複数の光センサとを含んでいる光電測色計である、
請求項９記載のシステム。
【請求項１１】
前記測色計は、分光光度計である、
請求項９記載のシステム。
【発明の詳細な説明】
【技術分野】
【０００１】
本発明は、検体上の複数の場所から放射された光の三刺激値の二次元の空間分解測定のための方法に関し、特に、マトリクス型ディスプレイを検査する方法に関する。さらに、本発明は、検体上の複数の場所から放射された光の三刺激値の二次元の空間分解測定を可能にするイメージング測色システムに関する。
【背景技術】
【０００２】
本発明は概して、ディスプレイ製造業等におけるイメージング測色アプリケーションの分野に関する。
【０００３】
イメージング測色をベースにした検査システムが、全てのタイプのフラットパネルディスプレイ、例えばＬＣＤディスプレイスクリーンおよびＬＥＤディスプレイスクリーンに対して、質の改善および製造コストの低減をもたらすことが判明している。検査アプリケーションは、スマートフォン、タブレット、ラップトップ、モニター、テレビ等のカラーのマトリクス型ディスプレイを測定する。
【０００４】
既知のディスプレイ検査環境の主要部品は、いわゆるイメージング測色計である。これは、明るさ、色および空間関係の人体感覚と整合する、ディスプレイの見え方を正確に測定する。高性能のイメージング測色計は、ディスプレイの個々のピクセルの色、輝度（明るさ）の他に、ディスプレイ全体の均一性を正確に測定することができる。
【０００５】
典型的な製造プロセスでは、ディスプレイの見え方は、このようなイメージング測色計を用いる、自動化された検査システムによって検査される。これは幾つかの利点を有する。ディスプレイの欠陥を量的に評価することが可能になるということ、検査速度を上げることができるということ、さらに、最も重要なのは、ディスプレイ全体のクオリティ、すなわち均一性および色精度を同時に評価することが可能であるということである。
【０００６】
一般的に、分光光度計（分光測光器とも称される）と光電測色計とが、色度と輝度とを測定するために使用される。光電測色計は、三刺激値に近い光学フィルターを複数個有しており、これらの光学フィルターを通過する光の強度を検出することによって色度と輝度とを測定する。分光光度計は、検体からの光を複数の波長成分に分けること、および、各主要波長要素の強度を検出することによって色度と輝度とを測定する。分光は例えば、プリズムまたは回折格子または分光フィルターを用いて行われる。結果として、分光光度計は絶対的な色度および絶対的な輝度を正確に測定することが可能である。しかし、スペクトル分離を行うために必要な構造は複雑であり、これによって機器のサイズは大きくなってしまう。またこれと並んで、機器が高価になってしまう。
【０００７】
イメージング測色システムは例えば米国特許出願公開第５４３２６０９号明細書に記載されている。この公開されたシステムでは、特定の波長しか通さない光学フィルター手段が、検体上の複数の点からの光を受光する第１の受光手段の前に配置されている。このようにして、検体上の複数の点での色度と輝度とが、空間分解を伴って測定される。これは、光電測色計によって使用されるのと同じ原理を用いたシンプルな方法で行われる。さらに、光を複数の主要波長に分けるスペクトル分離手段が、第２の受光手段の前に配置されている。この第２の受光手段は、上述した複数の点のうちの指定された１つの点からの光を受光する。すなわち、空間分解を伴わない。従って、複数の点のうちの上述した１つの指定された点での色度と輝度とが、分光測光器タイプの器具によって正確に測定される。光電測色計タイプの第１の受光手段からのアウトプットである、検体上の複数の点の測定値は、分光光度計タイプの第２の受光手段からのアウトプットである正確な測定値をベースにして補正される。
【先行技術文献】
【特許文献】
【０００８】
【特許文献１】米国特許出願公開第５４３２６０９号明細書
【発明の概要】
【発明が解決しようとする課題】
【０００９】
本発明の課題は、標準化された色空間における空間分解色度測定および空間分解輝度測定のための改良された方法およびシステムを提供することである。
【課題を解決するための手段】
【００１０】
本発明では、検体上の複数の場所から放射された光の三刺激値の二次元の空間分解測定のための方法が開示される。この方法は、
・ＲＧＢ色値の二次元マップを作成するＲＧＢカメラに光の第１の部分を配向するステップと、
・三刺激値のマップを作成するために、ＲＧＢ色値を第１の三刺激値に変換するステップと、
・第２の三刺激値を生成する測色計に光の第２の部分を配向するステップと、
・第２の三刺激値を少なくとも、第１の三刺激値のサブセットと比較することによって三刺激値補正を導出するステップと、
・補正された三刺激値マップを作成するために三刺激値補正を第１の三刺激値に適用するステップと
を含んでいる。
【００１１】
本発明の本質的な特徴は、ＲＧＢカメラを、色度の空間分解測定に使用するこということである。これによって迅速かつ費用効果のある検査が、例えばマトリクス型ディスプレイの製造ラインにおいて実現される。ＲＧＢカメラは、ＲＧＢ色値のセットと検体上の複数の場所の各々とを対応付ける。
【００１２】
カメラ技術において、ＲＧＢカメラは高度に発達した。高性能のＲＧＢカメラが、低いコストで入手可能である。高性能のＲＧＢカメラによって、画像データを、ミリセカンドの高い感度および高い解像度で得ることが可能になった。市販のＲＧＢカメラは典型的に、高密度集積回路電子工学と組み合わせて、ＣＭＯＳまたはＣＣＤイメージセンサ技術を用いている。ＲＧＢ色値の二次元マップを作成するために、通常のＲＧＢカメラのＣＭＯＳまたはＣＣＤイメージセンサはしばしば、いわゆるＢａｙｅｒフィルター配列と組み合わされている。このＢａｙｅｒフィルター配列では、色度分解能よりも高い輝度分解能を得るために、緑の検出器が、赤と青の検出器の２倍、設けられている（１：２：１の比）。このフィルター配列は、配列されている緑の検出器と赤の検出器と青の検出器との格子を含んでいる。従って、第１の列はＲＧＲＧＲＧＲＧであり、次の列はＧＢＧＢＧＢＧＢであり、このシーケンスが後続の列において繰り返される。完全なＲＧＢマップを作成するために、各チャネルに対して、デモザイキングプロセスにおける補間によって、欠落したピクセルが獲得される。
【００１３】
しかし、ＲＧＢカメラのスペクトルチャネル感度は、明るさおよび色における人体感覚と一致する検体の見え方を正確に評価するために求められる必要がある三刺激値ＸＹＺからかけ離れている。従って、本発明は、三刺激値のマップを作成するために、ＲＧＢ色値を（第１）の三刺激値に変換することを提案する。一般的にＲＧＢ色値の、三刺激値ＸＹＺへの変換は不可能である。なぜなら、三刺激値は、（ＣＩＥ１９３１規格において規定された、相応する等色関数を介して、）測定される光のスペクトルによって変化するからである。完全なスペクトル情報は、ＲＧＢカメラによるＲＧＢ色値のマップへの、光の第１の部分の変換後に失われる。
【００１４】
ＲＧＢ色値を（第１の）三刺激値ＸＹＺに変換するために、少なくとも、「典型的な」検体のセットが放射する、類似したスペクトル分布を有する光に対して、（一次）変換を見出すことができる、というのが本発明の見識である。ここでは、「正しい」三刺激値からの第１の三刺激値の残留偏差が、第２の三刺激値に基づいて補正される。この第２の三刺激値は、本発明に従って、空間分解を伴わない測色計を用いて、光の第２の部分から測定されたものである。この「正しい」（第２の）三刺激値は空間分解を用いて測定されていないが、結果として生じる、補正された三刺激値マップは、例えば、マトリクス型ディスプレイの性能を評価するのには十分な精度を有している。
【００１５】
本発明に即して第１の三刺激値に適用される三刺激値補正は、第２の三刺激値を、少なくとも、第１の三刺激値のサブセットと比べることによって導出される。例えば、測色計によって受光される光の第２の部分は、検体上のスポット内の複数の場所から放射される。ここでこのスポット内のこれらの場所は、少なくとも部分的に、検体上の、光の第１の部分を放射する場所と重なっている。次に、第２の三刺激値からの第１の三刺激値の偏差を定めるために、かつ、相応する補正を導出するために、第２の三刺激値が、このスポット内の、検体上の複数の場所に対応付けされている第１の三刺激値と比較される。この補正はその後、三刺激値の補正されたマップを作成するために、全ての第１の三刺激値に適用される。
【００１６】
検体上のスポットの場所が事前に定められていてもよい（例えばこれは、検査されるマトリクス型ディスプレイの中央に定められる）。このスポットの場所（および／またはサイズ）が、必要に応じて、ユーザによってコントロールされてもよい。
【００１７】
有利な実施形態では、測色計は光電測色計であり、これは、少なくとも３つの色フィルターのセットと１つまたは複数の光センサとを含んでいる。これらの３つのフィルターのスペクトル感度は、ＣＩＥ三刺激等色関数に合わせられている。従ってこのような測色計は、ｔｈｒｅｅ−ｆｉｌｔｅｒ測色計として知られている。Ｘ等色関数に対するより良好な整合を得るために、第４のフィルター部材を備えた第４のチャネルが設けられる場合がある。色度測定の他に、この測色計はしばしば、別の基本的な光度測定も提供する。これは例えば、輝度、照度、光度または光束等である。これは有利には、本発明に即して、付加的なダイナミック測定のために利用可能である。このダイナミック測定は、すなわち、（例えばディスプレイの「フリッカー」が原因の）検体の測光パラメータの一時的な変化の測定である。このような測定は、ＲＧＢカメラ単体では実行不可能である。測色計は、パラメータテストと、フラットパネルディスプレイおよび他の検体のアライメントとを実行するために使用可能である。これは例えば、コントラスト測定、ガンマアライメント、色域テスト等である。
【００１８】
光電測色計は、直列接続された複数のフィルターを伴う、高性能のフォトダイオードを含んでいる検出器を使用する。入射光は、検出器によって、標準的なＸＹＺ三刺激値を直接的にもたらす信号に変換される。しかし、これらのフィルターのスペクトル感度の、標準的なＣＩＥ三刺激曲線への整合は、限られた精度でしか実現されない。この標準的なＣＩＥ曲線と光電測色計の感度曲線との間に偏差が生じるだろう。測定されるべき光が、全可視スペクトルにわたって連続したエネルギー出力を示す限り、これらの偏差は通常、無視できるものである。しかし、スペクトルにおいて急勾配のエッジまたはスペクトル線が生じている場合には、誤差が顕著になり得る。従って、ｔｈｒｅｅ−ｆｉｌｔｅｒ測色計は、スペクトル線を有する光源、例えば放電ランプ、または、狭いスペクトルエネルギー分布を有する光源、例えばＬＥＤを測定するのには最適ではない。
【００１９】
従って、本発明の択一的な実施形態では、測色計は分光光度計である。分光光度計は、色度量を決める、光の第２の部分のスペクトルエネルギー分布を測定するための精度において最も理想的である。分光光度計は、光の第２の部分の放射スペクトルを記録し、ここから、第２の三刺激値を計算する。正確なＣＩＥ等色曲線が分光光度計のソフトウェア内に格納されており、光の第２の部分の測定されたスペクトルエネルギー分布からのデータを処理するために使用される。従って、（ｔｈｒｅｅ−ｆｉｌｔｅｒ）光電測色計に関する測定値エラーは、光電測色計の代わりに測色計として分光光度計を用いることによって回避される。他方で、光電測色計と比べると、分光光度計は、測定速度、コストおよびポータビリティに関して制限を有する。
【００２０】
本発明の別の有利な実施形態では、ＲＧＢ色値を第１の三刺激値へ変換するための変換が、事前のトレーニングステップにおいて導出される。ここでは、
・ＲＧＢ色値と第２の三刺激値とが、３つまたは３つより多くのトレーニング用検体のセットから生成される
・第２の三刺激値からの第１の三刺激値の偏差が最小化されるように、ＲＧＢ色値を第１の三刺激値に変換する３×３変換行列が見出される
【００２１】
ＲＧＢ色値を第１の三刺激値に変換することを可能にするためには、有効な変換規則を定めることが必要である。これによって、ＲＧＢ色空間をＸＹＺ色空間にマッピングする３×３変換行列を用いた線形変換が多くのアプリケーションにとって適したものとなる。３×３変換行列の９つのパラメータは、トレーニングステップにおいて事前に定められる。すなわち、検体の実際の測定前に定められる。９つの行列成分を決めるために、少なくとも３つのトレーニング用検体が必要である。十分な精度を得るために、３つよりも多くのトレーニング用検体が使用されてもよく（実際のところ、トレーニング用検体を約２０個用いることが有効であると証明されている）、ここでは、全てのトレーニング用サンプルに対して最適な変換結果をもたらす行列成分が、例えば、最小二乗最適化によって見出される。３つのトレーニング用検体が、例えば、必ずしも３つの異なるマトリクス型ディスプレイである必要はない。その代わりに、典型的に、検査されるべき製品からの１のマトリクス型ディスプレイを使用することができ、この場合には、適切に選択された色の３つ、または、３つよりも多くの（典型的には約２０の）テストパターンが、このマトリクス型ディスプレイを介して表示される。これらのテストパターンはその後、行列成分を導出するために、トレーニングステップにおいて測定される。
【００２２】
三刺激値補正は有利には、第２の三刺激値からの、補正された三刺激値の偏差が最小化されるように、三刺激値サブセットの第１の三刺激値を補正された三刺激値に変換する３×３補正対角行列を見出すことによって導出される。これは、色度測定および輝度測定において十分な精度を得るのに十分であることが証明された各ＸＹＺ値の再スケーリングに相当する。当然ながらこれは、ＲＧＢ色値から導出された第１の三刺激値が既に十分に、「正しい」三刺激値に近似しているという条件下でのみ、あてはまる（実際にはこれに達するために、上述したトレーニングスキーマ等を使用してもよい）。従って３×３対角行列の独立した３つのパラメータ（スケーリングファクタ）を、単に、（測定された第２の三刺激値が測定されたスポット内の）サブセットの対応する第１の三刺激値によって第２の三刺激値の各々を除算することによって、見出すことができる。最終的に、上述したようにこの補正が、第１の三刺激値の各々に適用され、これによって、三刺激値の補正されたマップが得られる。
【００２３】
本発明は方法だけに関するのではなく、検体の複数の場所から放射された光の三刺激値の２次元の空間分解測定を可能にするイメーシング測色システムにも関する。このシステムは、
・検体から放射された光を第１の部分と第２の部分とに分光するビームスプリッターと、
・光の第１の部分を受光し、ＲＧＢ色値の二次元マップを作成するＲＧＢカメラと、
・三刺激値のマップを作成するために、ＲＧＢ色値を第１の三刺激値に変換するコントローラと、
・光の第２の部分を受光し、第２の三刺激値を生成する測色計とを有しており、
ここで前記コントローラはさらに、
・第２の三刺激値を少なくとも第１の三刺激値のサブセットと比較することによって、三刺激値補正を導出し、
・三刺激値の補正されたマップを作成するために、この三刺激値補正を第１の三刺激値に適用する
ように構成されている。
【００２４】
本発明のイメージング測色システムは、検体から受光した光を、光の第１の部分と第２の部分とに分光するビームスプリッターを有する。これらの部分はその後、ＲＧＢカメラと測色計とによってそれぞれ受光される。ＲＧＢ色値を第１の三刺激値に変換するように構成されたコントローラ（例えば、市販されているプログラマブルマイクロコントローラ）が設けられる。これによって、三刺激値補正を導出するために、また、三刺激値の補正されたマップを作成することを目的としてこの三刺激値補正を適用するために、（例えば上述した３×３変換行列を適用することによって、）三刺激値のマップが作成される。従って、本発明は、ディスプレイ全体のクオリティの評価、すなわち均一性および色精度の評価が同時に行われる、ディスプレイの欠陥の量的かつ高精度の評価のための、完全に自動化された、自己充足型の検査システムを提供する。このシステムは速い検査速度で動作し、かつ、低いコストで実現される。
【００２５】
開示された図面は、本発明の有利な実施形態を開示する。しかし、これらの図面は単に図解を目的とするものであって、本発明を制限するものではない、ということを理解されたい。
【図面の簡単な説明】
【００２６】
【図１】本発明のイメージング測色システムのブロックダイアグラム
【図２】本発明の方法のフローチャート
【図３】本発明のイメージング測色システムのハードウェアの詳細な図
【発明を実施するための形態】
【００２７】
図１では、色度、輝度および均一性に関して検査されるべき検体（ＬＣＤマトリクス型ディスプレイ）が、参照番号１１０によって指し示されている。検体１１０によって放射された光１１１は、本発明のイメージング測色デバイス１１２に配向される。この光１１１は、光学部材（レンズ／開口）の配列体１１３とビームスプリッター１１４とを通る。ビームスプリッター１１４は、光１１１を、第１の部分１１５と第２の部分１１６とに分光する。ビームスプリッター１１４は、光１１１のあらゆる偏光を補償するために、相互に９０°の角度で捻られた、非偏光ビームスプリッターキューブの対を含んでいてよい。択一的に、ビームスプリッター１１４が、穴開口を有する（金属製の）ミラーであってもよい。この場合には、反射される光は光の第１の部分１１５であり、穴を通過する光は光の第２の部分１１６である。別の選択肢として、偏光誤差が最小化されるように、λ／４プレートを１つの非偏光ビームスプリッターキューブと組み合わせて使用してもよい。１つの非偏光ビームスプリッターキューブが、いわゆる「ポルカドット」ビームスプリッターと並んで使用されてもよい。別のオプションは、測色デバイス１２の光学部材によって定められた仮想の像平面に光学プローブ（例えば、光ファイバーの先端）を配置することである。この場合には、光の第２の部分１１６は、光ファイバーを通って伝播する。
【００２８】
ＲＧＢカメラ１１７は光の第１の部分１１５を受光し、これによって、検体１１０の二次元画像が、ＲＧＢカメラ１１７のセンサアレイ上の像平面に形成される。結果として生じる（デジタル）カメラ画像は、本発明が意図するＲＧＢ色値の二次元マップを構築する。このＲＧＢ色値のマップは、ＲＧＢ色値のセット（赤色値、緑色値および青色値）を、検体１１０上の各場所に対応付ける。検体１１０のＬＣＤマトリクス型ディスプレイおよびＲＧＢカメラ１１７のセンサのマトリクス配列によって生じるいわゆるモアレアーチファクトを低減するために、フィルタ（図示されていない）を設けてもよい。このモアレフィルタが、カメラ１１７より前の光学画像に作用する光学フィルターとして、または、デジタル画像に作用するデジタルフィルターとして実現されていてもよい。
【００２９】
ＲＧＢ色値のマップは、処理デバイス１１８に伝達される。ここでこの処理デバイス１１８は、三刺激値のセット（Ｘ、ＹおよびＺ）が検体１１０の各場所に対応付けされるように、ＲＧＢ色値を第１の三刺激値ＸＹＺに変換するコントローラ１１９（プロセッサー）を含んでいる。この変換が、事前のトレーニングステップにおいて導出された（以下を参照）、３×３変換行列を用いて行われてもよい。
【００３０】
光の第２の部分１１６は、測色計１２０に配向される。ここでこの測色計１２０は例えば、既知のタイプの、コンパクトかつ低コストのｔｈｒｅｅ−ｆｉｌｔｅｒ光電測色計であってよい。この測色計１２０は、第２の三刺激値ＸＹＺを作成する。光の第２の部分１１６は、検体１１０上のスポット内の複数の場所から放射されたものである。測色計１２０は、空間分解を用いずに、第２の三刺激値を作成する。
【００３１】
この第２の三刺激値はさらに、処理デバイス１１８に伝達される。コントローラ１１９は、第２の三刺激値を、光の第２の部分１１６を放射する、スポット内の複数の場所に対応付けされた、第１の三刺激値のサブセットと比較することによって三刺激値補正を導出する。次に、コントローラ１１９は、三刺激値の補正されたマップを作成するために、この三刺激値補正を第１の三刺激値のマップ全体に適用する。
【００３２】
色均一性並びに種々のタイプのアーチファクト（線の欠陥、ピクセルの欠陥、黒点現象、黄点現象等）を評価するために、補正された三刺激値マップの個々のＸ、ＹおよびＺマップが、その後、ディスプレイデバイス１２１を介して出力される。このようなアーチファクトが、コントローラ１１９の対応する画像処理プログラミングによって、自動化された様式で検出されてもよい。
【００３３】
測色計１２０のＹチャネルがさらに、動的なアーチファクト（測光パラメータの不所望な一時的な変化）を評価するために使用されてもよい。これは例えば画像のフリッカーである。測色計１２０が、動的なアーチファクト検査のために迅速なＹチャネル光度計と組み合わされていてもよく、さらに、本発明に即した三刺激値の測定のために分光光度計と組み合わされていてもよい。
【００３４】
図２は、フローチャートとして、本発明の方法を示している。最初に、検査されるべき典型的なマトリクス型ディスプレイが選択され、初期のトレーニングステップを実行するために使用される。ここでこのトレーニングステップは、図２に示されているステップ２１０と２１１と２１２と２１３とを含んでいる。ステップ２１０では、ＲＧＢカメラ１１７によって、トレーニング用検体からＲＧＢ色値のマップが取得される。これと並行して、ステップ２１１において、測色計１２０を用いて三刺激値のセットが取得される。ステップ２１２では、全ての使用可能なトレーニング用検体からデータが得られたか否かがチェックされる。そうでない限り、ステップ２１０と２１１とが繰り返される。ここでは各繰り返しにおいて異なったトレーニング用検体が使用される。これらのトレーニング用検体は、異なるマトリクス型ディスプレイではない。その代わりに、適切に選択された色の異なるテストパターンが、選択された１つのマトリクス型ディスプレイを介して表示される。十分な数の繰り返しが行われた後、ＲＧＢ色空間をＸＹＺ色空間にマッピングする３×３変換行列が、ステップ２１３において、測定データから導出される。ここでは、全てのトレーニング用検体に対して最適な変換結果を供する行列成分が、最小二乗最適化プロシージャによって見つけ出される。この最適化プロシージャでは、測色計１２０を介して測定された三刺激値からの変換結果の（二乗された）偏差が最小化される。
【００３５】
トレーニングステップの後、ステップ２１４において、実際のディスプレイ検査プロシージャが開始される。ステップ２１４では、ＲＧＢ色値の二次元マップが検体から、ＲＧＢカメラ１１７を介して測定される。ＲＧＢ色値は、ステップ２１５において、三刺激値のマップを作成するために、（事前に行われたトレーニングステップにおいて作成された３×３変換行列を用いて）第１の三刺激値に変換される。測色計１２０は、ステップ２１６において、検体から第２の三刺激値を作成する。ステップ２１７において、この第２の三刺激値を第１の三刺激値のサブセットと比較することによって、三刺激値補正が導出される。この目的を達成するために、このサブセットの第１の三刺激値を、補正された三刺激値に変換する３×３の補正対角行列が見つけ出される。３×３対角行列の３つの独立したパラメータ（スケーリングファクタ）は、第２の三刺激値の各々を、（第２の三刺激値が測定された、検体上のスポット内の）サブセットの対応する第１の三刺激値によって除算することによって定められる。最後に、ステップ２１８において、三刺激値の補正されたマップを得るために、三刺激値のマップ全体にこの補正が適用される。ステップ２１４から２１８は、検体の任意の数Ｎに合わせて繰り返される。
【００３６】
図３は、本発明に即したイメージング測色デバイス１１２の１つの実施形態のハードウェアを詳細に示している。このデバイス１１２は、ＲＧＢカメラ１１７と測色計１２０とを含んでいる。ここでこの測色計１２０は、図３の実施形態では、分光光度計である。処理デバイス１１８は、図３に示されていない。ＲＧＢカメラ１１７は、ＲＧＢイメージを生成する。このＲＧＢイメージは、本発明の意図するＲＧＢ色値の二次元マップである。特徴付けがされるべき検体１１０は、ＬＣＤマトリクス型ディスプレイ（または、ＯＬＥＤマトリクス型ディスプレイまたはあらゆる他のタイプのマトリクス型ディスプレイ）である。
【００３７】
測色計１２０とＲＧＢカメラ１１７とは、（ＲＧＢカメラ１１７を介した）ＲＧＢ色値のマップと（測色計１２０を介した）三刺激値ＸＹＺとが同時に測定可能であるように、検体１１０によって放射された光を共有する。検体１１０からの光１１１は、ビームスプリッター１１４に入射する。ここでこのビームスプリッター１１４は、ＲＧＢカメラ１１７に向かう入射光１１１の第１の部分１１５と、測色計１２０に向かう入射光１１１の第２の部分１１６とに分光する。図示された実施形態では、ビームスプリッター１１４は、自身の表面上に開口３１２を有するミラーである。光の第２の部分１１６はこの開口を通る。
【００３８】
レンズ３０１は、光の第２の部分１１６を、スリット３０２を通して、分光光度計１２０へとフォーカシングする。分光光度計１２０は、コリメートミラー３０３と、分散部材（格子）３０４と、フォーカシングミラー３０５と、検出器アレイ３０６とを含んでいる。分光光度計１２０はさらに、プロセッサーユニット３０７と、メモリ回路３０８とを含んでいる。メモリ回路３０８は、プロセッサーユニット３０７によって実行された場合に、本発明の実施形態に一致する動作を分光光度計１２０に行わせる命令を格納していてよい。例えば、プロセッサーユニット３０７が、光の第２の部分１１６の測定された光学スペクトルから三刺激値ＸＹＺを計算し、処理デバイス１１８とのコミュニケーションを確立してもよい（図１を参照）。
【００３９】
ビームスプリッター１１４から反射された入射光１１１の第１の部分１１５は、光学部品３０９によって、ＲＧＢカメラ１１７の方向に配向される。ＲＧＢカメラ１１７は、さらなるプロセッサーユニット３１０と、さらなるメモリ回路３１１とに接続されている。メモリ回路３１１は、プロセッサー３１０によって実行された場合に、本発明の実施形態に一致する操作をシステムに行わせる命令を格納していてよい。例えば、プロセッサーユニット３１０が、本発明に従ったさらなる処理を目的とした、ＲＧＢ色値の測定されたマップの伝達のために、処理デバイス１１８（図１を参照）との通信を確立してもよい。
【図１】
0006676398.tif 000002
【図２】
0006676398.tif 000003
【図３】
0006676398.tif 000004